(57)【特許請求の範囲】
【請求項１】
羽根および前記羽根を回転駆動するモータを含む共通の本体部と、
前記共通の本体部に選択的に連結されてこの本体部を支持するように構成された異なった形態の複数の支持部材とを備え、
前記共通の本体部は、前記各支持部材との連結に供される共通の係合部を含み、
前記複数の支持部材は、それぞれ、前記共通の係合部に嵌り合う形状の被係合部を含み、
前記本体部の係合部は、少なくとも下方に開口した受入空間を形成する管状部材であり、
前記各支持部材の被係合部は、前記管状部材の受入空間内に下方から差込まれる挿入部材であり、
前記本体部の管状部材は、間隔を空けてほぼ平行に延びる第１管状部材および第２管状部材を含み、
前記各支持部材の挿入部材は、前記第１および第２管状部材に下方から差込まれる第１および第２挿入部材を含む、扇風機ユニット。
【請求項２】
前記羽根の動きを制御するスイッチを含む操作部は、前記第１および第２管状部材の間に装着される、請求項１に記載の扇風機ユニット。
【請求項３】
前記複数の支持部材は、床面上に立つ支持脚を有するスタンド型支持部材と、床面上を転動する車輪を有する移動型支持部材と、壁に固定される壁掛け型支持部材とを含む、請求項１または２に記載の扇風機ユニット。
【発明の詳細な説明】
【技術分野】
【０００１】
この発明は、扇風機に関し、特に種々の支持形態に対応可能な扇風機ユニットおよびその製造方法に関するものである。
【背景技術】
【０００２】
扇風機は、羽根およびモータ含む本体部と、この本体部を支持する支持部材とを備える。床置き式扇風機の場合、支持部材は、床上に置かれる支持スタンドの形態を有する。壁掛け式扇風機の場合、支持部材は、壁面に固定されるのに適した形態を有する。
【０００３】
床置き式扇風機および壁掛け式扇風機を比較すると、支持部材の形態は相違するが、羽根およびモータを含む本体部の形態が同じ場合がある。そのような場合であれば、本体部を共通にして支持部材だけを取り換えるようにすれば、コスト的に有利である。
【０００４】
実用新案登録第３１３６８５９号公報（特許文献１）は、羽根およびモータを含む本体部を共通にし、支持部材だけを取り換えることによって、スタンド型扇風機、壁掛け型扇風機および天井吊下げ型扇風機として使用できる構造を記載している。
【先行技術文献】
【特許文献】
【０００５】
【特許文献１】実用新案登録第３１３６８５９号公報
【発明の概要】
【発明が解決しようとする課題】
【０００６】
上記の特許文献１に開示された扇風機では、各支持部材の構成要素である棒状部材を本体部の側面にねじ止めすることによって、本体部と各支持部材との連結を実現している。この従来技術では、ねじ止めのみによって各支持部材と本体部との連結を行うものであるので、本体部がねじ軸回りに動くおそれがあり、本体部の支持構造が不安定である。
【０００７】
この発明の目的は、種々の支持形態に対応可能であり、どの支持形態においても本体部を支持部材上で安定して支持することのできる扇風機ユニットおよびその製造方法を提供することである。
【課題を解決するための手段】
【０００８】
この発明に従った扇風機ユニットは、羽根およびこの羽根を回転駆動するモータを含む共通の本体部と、共通の本体部に選択的に連結されてこの本体部を支持するように構成された異なった形態の複数の支持部材とを備える。共通の本体部は、各支持部材との連結に供される共通の係合部を含み、複数の支持部材は、それぞれ、共通の本体部の係合部に嵌り合う形状の被係合部を含む。
【０００９】
上記構成の本発明によれば、異なった形態の各支持部材が、それぞれ、共通の本体部の係合部に嵌り合う形状の被係合部を有しているので、係合部と被係合部とを嵌め合わせることにより、本体部を支持部材上に安定して支持することが可能となる。
【００１０】
この発明の一実施形態では、本体部の係合部は、少なくとも下方に開口した受入空間を形成する管状部材であり、各支持部材の被係合部は、上記管状部材の受入空間内に下方から差込まれる挿入部材である。
【００１１】
管状部材および挿入部材の数に制約は無いが、一つの例示的な実施形態では、本体部の管状部材は、間隔を空けてほぼ平行に延びる第１管状部材および第２管状部材を含み、各支持部材の挿入部材は、第１および第２管状部材に下方から差込まれる第１および第２挿入部材を含む。この実施形態の場合、好ましくは、羽根の動きを制御するスイッチを含む操作部は、第１および第２管状部材の間に装着される。
【００１２】
好ましくは、複数の支持部材は、床面上に立つ支持脚を有するスタンド型支持部材と、床面上を転動する車輪を有する移動型支持部材と、壁に固定される壁掛け型支持部材とを含む。
【００１３】
この発明に従った扇風機ユニットの製造方法は、以下の工程を含む。
（ａ）羽根、この羽根を回転駆動するモータ、および相手側部材との連結に供される係合部を含む本体部を用意すること。
（ｂ）本体部の係合部に嵌り合う被係合部を含み、本体部を支持するための異なった形態の複数の支持部材を用意すること。
（ｃ）複数の支持部材の中から一つの支持部材を選び、この選んだ支持部材の被係合部を本体部の係合部に嵌め合せて、共通の本体部と選択した支持部材とを連結すること。
【００１４】
好ましくは、複数の支持部材として、床面上に立つ支持脚を有するスタンド型支持部材と、床面上を転動する車輪を有する移動型支持部材と、壁に固定される壁掛け型支持部材とを用意する。
【発明の効果】
【００１５】
本発明によれば、種々の支持形態に対応可能であり、どの支持形態においても本体部を支持部材上で安定して支持することのできる扇風機ユニットを得ることができる。
【図面の簡単な説明】
【００１６】
【図１】本発明の一実施形態の扇風機ユニットの概要を示す図である。
【図２】扇風機ユニットの本体部を前方から見た斜視図である。
【図３】扇風機ユニットの本体部を後方から見た斜視図である。
【図４】電源コードおよび操作部を取り外した状態の本体部を前方から見た斜視図である。
【図５】電源コードおよび操作部を取り外した状態の本体部を後方から見た斜視図である。
【図６】壁掛け型支持部材を本体部に取り付ける前の状態を後方から見た斜視図である。
【図７】壁掛け型支持部材を本体部に取り付けた後の状態を後方から見た斜視図である。
【発明を実施するための形態】
【００１７】
図１は、本発明の一実施形態の扇風機ユニットの概要を示している。扇風機ユニットは、羽根およびモータを含む共通の本体部１０と、第１のスタンド型支持部材２０と、第２のスタンド型支持部材３０と、第１の移動型支持部材４０と、第２の移動型支持部材５０と、第３の移動型支持部材６０と、壁掛け型支持部材７０とを備える。
【００１８】
共通の本体部１０と、第１スタンド型部材２０または第２のスタンド型支持部材とを組わせた構造にすれば、床面に設置されるスタンド型扇風機となる。共通の本体部１０と、第１移動型支持部材４０、第２移動型支持部材５０または第３移動型支持部材６０とを組み合わせた構造とすれば、床面上を移動できる移動型扇風機となる。共通の本体部１０と、壁掛け型支持部材７０とを組み合わせた構造とすれば、壁に固定される壁掛け型扇風機となる。
【００１９】
図２〜図５は、本体部１０を示している。本体部１０は、羽根１１と、この羽根１１を回転駆動するモータ部１２と、電源コード１３と、電源コードに接続されるとともに、羽根１１の動きおよびモータの動きを制御するスイッチを含む操作部１４とを備える。
【００２０】
図３、図４および図５から明らかなように、本体部１０は、各支持部材２０，３０，４０，５０，６０，７０との連結に供される共通の係合部を含む。図示した実施形態では、本体部１０の係合部は、モータ部１２の下方に位置し、少なくとも下方に開口した受入空間を形成する管状部材１５，１６である。管状部材は、間隔を空けてほぼ平行な関係で上下方向に延びるように設けられた第１管状部材１５および第２管状部材１６を含む。
【００２１】
図示した実施形態では、羽根１１等の動きを制御するスイッチを含む操作部１４は、第１管状部材１５と第２管状部材１６との間に形成される空間内に脱着可能に収容されている。
【００２２】
図１に示すように、各支持部材２０，３０，４０，５０，６０，７０は、それぞれ、本体部１０の係合部に嵌り合う形状の被係合部を含む。図示した実施形態では、各支持部材２０，３０，４０，５０，６０，７０の被係合部は、本体部１０の管状部材１５，１６の受入空間内に下方から差込まれる挿入部材を含む。
【００２３】
以下に、各支持部材の形態および構造を簡単に記載する。
【００２４】
まず、最初に壁掛け型支持部材７０の構造を説明する。壁掛け型支持部材７０は、固定穴７６，７７を有する固定プレート７１と、この固定プレートに固定された２本の棒状部材７２，７３とを備える。２本の棒状部材は、間隔を空けてほほ平行に上方に向かって突出して延びている。一方の棒状部材７２は第１の挿入部材を形成し、他方の棒状部材７３は第２の挿入部材を形成する。図６に示すように、支持部材７０の第１挿入部材７２は本体部の第１管状部材１５の内部空間内に下方から差込まれ、第２挿入部材７３は本体部の第２管状部材１６の内部空間内に下方から差込まれる。第１および第２挿入部材７２，７３を第１および第２管状部材１５，１６内に差込んだ後に、止めねじ７４，７５を用いてそれらの位置関係を固定する。図７は、壁掛け型支持部材７０を本体部１０に取り付けた後の状態を示している。この状態で、固定プレート７１の穴７６，７７（図１参照）を通過するねじを介して扇風機を壁面に固定する。
【００２５】
固定プレート７１を壁面により安定して固定するために、他の取付け例として、固定プレート７１と２本の棒部材７２，７３とを貫通して延びる４個のねじ７８，７９，８０，８１によって、固定プレート７１を壁面に固定するようにしても良い。
【００２６】
第１スタンド型支持部材２０は、逆Ｖ字状の形態で固定プレート２３に固定された２本の前脚２１，２２と、ねじ２５，２６を介して固定プレート２３に固定された１本の後脚２４とを備える。前脚２１，２２および後脚２４は、床面上に立つ支持脚となる。一方の前脚２１の上方部分は、固定プレート２３を超えた位置から上方に立ち上がり、第１の挿入部材２１ａを形成する。他方の前脚２２の上方部分は、固定プレート２３を超えた位置から上方に立ち上がり、第２の挿入部材２２ａを形成する。第１および第２の挿入部材２１ａ，２２ａは、本体部１０の第１および第２管状部材１５，１６の受入空間内に下方から差込まれる。挿入部材２１ａ，２２ａの差し込み後は、止めねじによって管状部材１５，１６と挿入部材２１ａ，２２ａとの位置関係を固定する。
【００２７】
第２スタンド型支持部材３０は、一本のパイプを床面に沿う矩形に折り曲げて成形した支脚３１を含む。パイプの一方端部３１ａおよび他方端部３１ｂは、上方に立ち上がって延び、第１の挿入部材および第２の挿入部材を形成する。第１および第２挿入部材３１ａ，３１ｂは、本体部１０の第１および第２管状部材１５，１６の内部空間内に下方から差込まれる。
【００２８】
第１移動型支持部材４０は、一本のパイプを床面に沿う矩形に折り曲げて成形した支脚４１と、支脚４１の４つの角部に取り付けられたキャスタ４２，４３，４４，４５とを備える。支脚４１の一方端部４１ａおよび他方端部４１ｂは、上方に立ち上がって延び、第１の挿入部材および第２の挿入部材を形成する。第１および第２挿入部材４１ａ，４１ｂは、本体部１０の第１および第２管状部材１５，１６の内部空間内に下方から差込まれる。
【００２９】
第２移動型支持部材５０は、一本のパイプを床面に沿う矩形に折り曲げて成形した支脚５１と、支脚５１の４つの角部に取り付けられたキャスタ５２，５３，５４，５５と、支脚５１に固定された握り部を有するハンドルバー５６とを備える。支脚５１の一方端部５１ａおよび他方端部５１ｂは、上方に立ち上がって延び、第１の挿入部材および第２の挿入部材を形成する。第１および第２の挿入部材５１ａ，５１ｂは、本体部１０の第１および第２管状部材１５，１６の内部空間内に下方から差込まれる。
【００３０】
第３移動型支持部材６０は、一本のパイプを折り曲げて成形した支脚６１と、一本のパイプを折り曲げて成形したコード掛け部材６２と、支脚６１に取り付けられたキャスタ６３，６４，６５，６６とを備える。支脚６１の一方端部６１ａおよび他方端部６１ｂは、上方に立ち上がって延び、第１の挿入部材および第２の挿入部材を形成する。第１および第２挿入部材６１ａ，６１ｂは、本体部１０の第１および第２管状部材１５，１６の内部空間内に下方から差込まれる。支脚６１の中央部分は、図１に示すように、物品収容ケース６７を支えるような形状に折り曲げ成形されている。
【００３１】
上記に記載した各実施形態において重要な点は、一つの共通の本体部が各支持部材との連結に供される第１および第２管状部材を含み、異なった形態の複数の支持部材が、それぞれ、本体部の第１および第２管状部材の受入空間内に下から差込まれる第１および第２挿入部材を含んでいることである。扇風機が設置される場所が決定したら、複数の支持部材の中から設置場所に適した一つの支持部材を選択し、この選んだ支持部材の第１および第２挿入部材を本体部の第１および第２管状部材内に嵌め入れて、両者を連結固定する。上下方向に延びる挿入部材と管状部材との嵌合構造であるので、支持部材は本体部を安定して支持することができる。
【００３２】
本体部の管状部材の受入空間は、図示した実施形態のように円形断面形状であっても良いし、矩形の断面形状であっても良い。それに応じて、支持部材の挿入部材の断面形状が円形または矩形にされる。前述の実施形態のように、管状部材および挿入部材がそれぞれ２個であれば、より安定した本体部の支持構造が得られる。
【００３３】
本体部の係合部および支持部材の被係合部は互いに嵌り合う形状のものであれば良いので、図示した実施形態と異なる形状であってもよい。例えば、本体部の係合部を挿入側の部材、例えば挿入部材とし、支持部材の被係合部を、受入空間を有する部材、例えば管状部材としても良い。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３５】
本発明は、種々の支持形態に対応可能な扇風機として有利に利用され得る。
【符号の説明】
【００３６】
１０  扇風機の本体部、１１  羽根、１２  モータ部、１３  電源コード、１４  操作部、１５  第１管状部材、１６  第２管状部材、２０  第１スタンド型支持部材、２１，２２  前脚、２３  固定プレート、２４  後脚、２５，２６  ねじ、３０  第２スタンド型支持部材、３１ａ  第１挿入部材、３１ｂ  第２挿入部材、４０  第１移動型支持部材、４１  支脚、４１ａ  第１挿入部材、４１ｂ  第２挿入部材、４２，４３，４４，４５  キャスタ、５０  第２移動型支持部材、５１  支脚、５１ａ  第１挿入部材、５１ｂ  第２挿入部材、５２，５３，５４，５５  キャスタ、５６  ハンドルバー、６０  第３移動型支持部材、６１  支脚、６１ａ  第１挿入部材、６１ｂ  第２挿入部材、６２  コード掛け部材、６３，６４，６５，６６  キャスタ、７０  壁掛け型支持部材、７１  固定プレート、７２  第１挿入部材、７３  第２挿入部材、７４，７５  止めねじ、７６，７７  穴、７８，７９，８０，８１  ねじ。
【図２】
0005912631.tif 000002
【図３】
0005912631.tif 000003
【図４】
0005912631.tif 000004
【図５】
0005912631.tif 000005
【図６】
0005912631.tif 000006
【図７】
0005912631.tif 000007
【図１】
0005912631.tif 000008